(57)【要約】      （修正有）【課題】取付パネルを壁面に取り付けた際に壁面とパネルとの間に隙間が生じにくいインターホンの取付パネル構造を提供する。【解決手段】取付パネルを用いてインターホンを壁面に取り付けるにあたり、取付パネルは、インターホンを嵌め込むための開口部、取付パネルを壁面にネジ止めするためのネジ穴を有するパネル本体と、ネジ穴を隠すための目隠しプレートとを有し、パネル本体及び目隠しプレートにはそれぞれネジ穴を挟む位置に嵌合ツメ及び嵌合穴をネジ穴プラス一つ配置する。【選択図】図１
2010016727.tif 000002
【特許請求の範囲】
【請求項１】
取付パネルを用いてインターホンを壁面に取り付けるにあたり、
前記取付パネルは、前記インターホンを嵌め込むための開口部、前記取付パネルを壁面にネジ止めするためのネジ穴を有するパネル本体と、前記ネジ穴を隠すための目隠しプレートとを有し、
前記パネル本体及び前記目隠しプレートにはそれぞれ前記ネジ穴を挟む位置に嵌合ツメ及び嵌合穴を配置することを特徴とするインターホンの取付パネル構造。
【請求項２】
前記嵌合ツメは、前記嵌合穴との接触面を傾斜面で構成し、
嵌合されると前記傾斜面の作用によって壁面方向に圧下することを特徴とする請求項１記載のインターホンの取付パネル構造。
【請求項３】
前記目隠しプレートは、中心を頂点としたＲ形状で構成され、
前記パネル本体と前記目隠しプレートを前記嵌合ツメ及び前記嵌合穴で嵌合した際、前記Ｒ形状により端部が壁面に接する構成としたことを特徴とする請求項１又は請求項２記載のインターホンの取付パネル構造。
【発明の詳細な説明】
【技術分野】
【０００１】
本発明は、インターホンの取付パネル構造に関し、特に、取付パネルを壁面に取り付けた際に壁面とパネルとの間に隙間が生じにくいインターホンの取付パネル構造に関するものである。
【背景技術】
【０００２】
従来、インターホンを壁面に取り付けるにあたって、まずはインターホンを取り付けるための取付パネルを壁面にビスで固定して、そこにインターホンを取り付けている。
【特許文献１】特開２００２−２４５５６０号公報
【発明の開示】
【発明が解決しようとする課題】
【０００３】
しかしながら、上記従来のインターホンの取付パネル構造においては、取付パネルをビスで固定したときその圧下によって取付パネル自体が湾曲してしまうため側面から見ると取付パネルと壁面との間に間隙が生じて見栄えの悪いものであった。
そこで、本発明は、上記問題に鑑みなされたものであって、取付パネルをパネル本体と目隠しプレートとので構成するようにし、パネル本体がビスで取り付けられることにより湾曲したとしても目隠しプレートをパネル本体の湾曲とは逆の方向に湾曲させて構成することにより壁面と取付パネルとの間に間隙が生じないようにするインターホンの取付パネル構造を提供することを目的とする。
【課題を解決するための手段】
【０００４】
上記目的を達成するために、本発明のうち請求項１に記載の発明は、取付パネルを用いてインターホンを壁面に取り付けるにあたり、取付パネルは、インターホンを嵌め込むための開口部、取付パネルを壁面にネジ止めするためのネジ穴を有するパネル本体と、ネジ穴を隠すための目隠しプレートとを有し、パネル本体及び目隠しプレートにはそれぞれネジ穴を挟む位置に嵌合ツメ及び嵌合穴を配置することを特徴とする。
この構成によれば、パネル本体と目隠しプレートとの嵌合力により壁面方向への力が加わるので取付パネルが壁面へ接しやすくすることがきる。
【０００５】
請求項２に記載の発明は、請求項１に記載の発明において、嵌合ツメは、嵌合穴との接触面を傾斜面で構成し、嵌合されると傾斜面の作用によって壁面方向に圧下することを特徴とする。
この構成によれば、傾斜面の効果により壁面方向に力が加わるため請求項１に比べてより間隙を少なくすることができる。
【０００６】
請求項３に記載の発明は、請求項１又は請求項２に記載の発明において、目隠しプレートは、中心を頂点としたＲ形状で構成され、パネル本体と目隠しプレートを嵌合ツメ及び嵌合穴で嵌合した際、Ｒ形状により端部が壁面に接する構成としたことを特徴とする。
この構成によれば、取付パネルのパネル本体をネジ止めすることにより特に端部が湾曲していても目隠しプレートが中心を頂点としてパネル本体と逆に湾曲させているので端部であっても壁面に接することができる。
【発明の効果】
【０００７】
本発明によれば、取付パネルをパネル本体と目隠しプレートとので構成するようにし、パネル本体がビスで取り付けられることにより湾曲したとしても目隠しプレートをパネル本体の湾曲とは逆の方向に湾曲させて構成することにより壁面と取付パネルとの間に間隙が生じないようにすることができる。
【発明を実施するための最良の形態】
【０００８】
以下、本発明の一実施形態となるインターホンの取付パネル構造について、図面にもとづき詳細に説明する。
図１は、インターホンが取付パネルを用いて壁面に取り付けられた状態を示す説明図である。
取付パネル２が壁面に取り付けられた後、インターホン１を取り付けて固定するが以下、詳細に記載する。
【０００９】
まず、取付パネル２は図２、図３に示すようにパネル本体２１と目隠しプレート２２とから構成されている。パネル本体２１は、取付パネルとして壁面に取り付けるためにビス穴２１１ａ、２１１ｂを有しビス３で固定される。また後述する、目隠しプレート２２に備えた嵌合ツメが嵌合される嵌合穴２１２ａ、２１２ｂ、２１２ｃ及び目隠しプレート２２に備えた取付ツメが嵌合される取付穴２１３ａ、２１３ｂ、２１３ｃ、２１３ｄ、２１３ｅを有している。
【００１０】
目隠しプレート２２は、図３に示すようにパネル本体２１の嵌合穴２１２ａ、２１２ｂ、２１２ｃと嵌合される嵌合ツメ２２１ａ、２２１ｂ、２２１ｃ及び取付穴２１３ａ、２１３ｂ、２１３c、２１３d、２１３ｅと嵌合される取付ツメ２２３ａ、２２３ｂ、２２３ｃ、２２３ｄ、２２３ｅを有し、目隠しプレート２２の中心を頂点として湾曲して構成されている（図５）。なお、嵌合ツメ２２１ａ、２２１ｂ、２２１ｃは傾斜面２２２ａ、２２２ｂ、２２２ｃを有し、嵌合しやすく、また外しやすい構造となっている。また、このように当該傾斜面を有することにより、嵌合したときに生じる力は取付方向、つまり壁面方向に加わるので後に説明する壁面と取付パネル２との間に生じる間隙を防止することが可能となる。  また、嵌合穴２１２ａ、２１２ｂ、２１２ｃは、ビス穴２１１ａ、２１１ｂを挟む形で構成しており、本実施例においてはビス穴２つに対して嵌合穴を３つに構成しているがこれに限らず、ビス穴が３つであれば嵌合穴を４つで構成してビス穴を嵌合穴で挟むよう構成すると好適である。
【００１１】
このように構成されたインターホンの取付パネル構造について以下、取り付けについて説明する。
まず、壁面に取付パネル２のパネル本体２１をビスでとめる（図２、図４）。この実施例においては左右２箇所ずつの計４箇所をとめている。これにより図４の側面図に示すようにビス止めした箇所に力Fが壁面方向にかかることになり、パネル本体２１の端部が壁面からわずかに浮いてしまい間隙Ｄが生じる。なお、図４において点線部分がビス止めした後のパネル本体２１の反り状態を示している。
【００１２】
このパネル本体２１に目隠しプレート２２を取り付ける。目隠しプレート２２の取付ツメ２２３ａ、２２３ｂ、２２３ｃ、２２３ｄ、２２３ｅをパネル本体２１の取付穴２１３ａ、２１３ｂ、２１３ｃ、２１３ｄ、２１３ｅに挿入し、それを軸に目隠しプレート２２を回動させる。すると、パネル本体２１の嵌合穴２１２ａ、２１２ｂ、２１２ｃに嵌合ツメ２２１ａ、２２１ｂ、２２１ｃが嵌る。このとき嵌合ツメ２２１ａ、２２１ｂ、２２１ｃは弾性力を有しており且つ、嵌合穴２１２ａ、２１２ｂ、２１２ｃに接する面が傾斜面２２２ａ、２２２ｂ、２２２ｃとなっているため嵌合がしやすく、また傾斜面２２２ａ、２２２ｂ、２２２ｃの作用によって、壁面側へ力が加わる。
ここで目隠しプレート２２は中心を頂点として湾曲して構成されているので、パネル本体２１を取り付けた際に端部が壁面との間に間隙が生じていたのを覆隠することが可能となる。
このように取付パネル２を壁面に取り付けた後にインターホン１を取付パネル２にネジ止めして固定する。
【図面の簡単な説明】
【００１３】
【図１】本発明の実施例によるインターホンの取付パネル構造の外観図である。
【図２】本発明の実施例によるインターホンの取付パネル構造のパネル本体の斜視図である。
【図３】本発明の実施例によるインターホンの取付パネル構造の目隠しプレートの斜視図である。
【図４】本発明の実施例によるインターホンの取付パネル構造のパネル本体の説明図である。
【図５】本発明の実施例によるインターホンの取付パネル構造の目隠しプレートの側面図である。
【符号の説明】
【００１４】
１・・・インターホン
２・・・  取付パネル
２１・・・パネル本体
２１１ａ、２１１ｂ・・・ビス穴
２１２ａ、２１２ｂ、２１２ｃ・・・嵌合穴
２１３ａ、２１３ｂ、２１３ｃ、２１３ｄ、２１３ｅ・・・取付穴
２２・・・目隠しプレート
２２１ａ、２２１ｂ、２２１ｃ・・・嵌合ツメ
２２２ａ、２２２ｂ、２２２ｃ・・・傾斜面
２２３ａ、２２３ｂ、２２３ｃ、２２３ｄ、２２３ｅ・・・取付ツメ
【図１】
2010016727.tif 000003
【図２】
2010016727.tif 000004
【図３】
2010016727.tif 000005
【図４】
2010016727.tif 000006
【図５】
2010016727.tif 000007